(57)【要約】【課題】回転電機の回転子と共に回転する電気接続部に摺動しつつ接触しながらも、その温度上昇を抑えるブラシを提供する。【解決手段】回転電機１の第一ロータ１１と共に回転するスリップリング３０と接触するブラシ１００は、スリップリング３０のスリップリング板３２ａに接触するブラシ本体部１０１ａ、１０１ｂ及び１０１ｃを備える。ブラシ本体部１０１ａ、１０１ｂ及び１０１ｃはそれぞれ、スリップリング板３２ａと摺動しつつ接触する接触面１０１ａ１、１０１ｂ１及び１０１ｃ１と、この接触面に隣接する側面１０１ａ２及び１０１ａ３、１０１ｂ２及び１０１ｂ３、並びに１０１ｃ２及び１０１ｃ３と、この側面に形成された溝１０１ａ６、１０１ｂ６及び１０１ｃ６とを有している。溝１０１ａ６、１０１ｂ６及び１０１ｃ６はそれぞれ、接触面１０１ａ１、１０１ｂ１及び１０１ｃ１から離れた位置に形成されている。【選択図】図２
2014045624.tif 000002
【特許請求の範囲】
【請求項１】
回転電機の回転子と共に回転する電気接続部と接触するブラシにおいて、
前記電気接続部に接触するブラシ本体を備え、
前記ブラシ本体は、
前記電気接続部と摺動しつつ接触する接触面と、
前記接触面に隣接する少なくとも１つの側面と、
前記側面に形成された窪みとを有し、
前記窪みは、前記接触面から離れた位置に形成されるブラシ。
【請求項２】
前記窪みは、前記ブラシ本体を貫通する請求項１に記載のブラシ。
【請求項３】
前記ブラシ本体をスライド可能に収容するブラシホルダをさらに備え、
前記ブラシホルダは、前記ブラシ本体に隣接する壁部に、前記窪みに連通し且つ前記壁部を貫通する開口部を有する請求項１または２に記載のブラシ。
【請求項４】
前記ブラシ本体をスライド可能に収容するブラシホルダをさらに備え、
前記ブラシホルダは、前記ブラシ本体に隣接する壁部に前記壁部を貫通する複数の開口部を有し、
前記開口部は、前記ブラシ本体を貫通する前記窪みの両側の開口それぞれに隣り合う請求項２に記載のブラシ。
【発明の詳細な説明】
【技術分野】
【０００１】
この発明は、回転電機の回転子の電気接続部に接触するブラシに関する。
【背景技術】
【０００２】
回転電機の回転子は、回転電機の外部との間で電力の需給を行うが、この電力の需給は、回転子に備えられた整流子、スリップリング等の電気接続部に、外部のインバータ、バッテリ等の電気機器と電気的に接続されたブラシを接触させることによって行われる。ブラシは、電流が流れることによって発熱するほか、回転子と共に回転する電気接続部に対して押圧されて電気接続部と摺動しつつ接触状態を維持するため、摩擦によっても発熱する。しかしながら、ブラシは、その温度が所定の温度以上に上昇すると、耐摩耗性が急激に大きく低下して摩耗量が劇的に増加するため、耐久性が著しく低下する。このため、ブラシを冷却する様々な技術が提案されている。
【０００３】
例えば特許文献１には、外周面に複数の溝を形成したカーボンブラシが記載されている。このカーボンブラシは、スリーブ内にスライド自在に挿入されて配置され、整流子に摺動しつつ接触するように配置されている。そして、カーボンブラシは、外周面にスライド方向に沿って複数の溝が形成されており、これにより、表面積を大きくすることによって、温度上昇を抑制している。
【先行技術文献】
【特許文献】
【０００４】
【特許文献１】特開平１０−７０８６８号公報
【発明の概要】
【発明が解決しようとする課題】
【０００５】
しかしながら、特許文献１に記載されるカーボンブラシでは、整流子との接触面が、接触面にまで至る溝によって、複雑な形状になると共にその接触面積を減少させている。そして、複雑な形状の接触面の周囲には、特に溝の内部などに、整流子との摺動で発生するカーボンブラシの摩耗粉が堆積し、堆積した摩耗粉が、摩擦熱を発生する接触面近傍のカーボンブラシと周囲の空気との接触を遮断するため、カーボンブラシの温度が上昇しやすいという問題がある。さらに、整流子に押し付けられるカーボンブラシにおいて、整流子との接触面積が減少すると、接触面での発熱量が増加し、カーボンブラシの温度が上昇しやすくなるという問題もある。
【０００６】
この発明は上記のような問題を解決するためになされたものであり、回転電機の回転子と共に回転する電気接続部に摺動しつつ接触しながらも、その温度上昇を抑えるブラシを提供することを目的とする。
【課題を解決するための手段】
【０００７】
上記の課題を解決するために、この発明に係るブラシは、回転電機の回転子と共に回転する電気接続部と接触するブラシにおいて、電気接続部に接触するブラシ本体を備え、ブラシ本体は、電気接続部と摺動しつつ接触する接触面と、接触面に隣接する少なくとも１つの側面と、側面に形成された窪みとを有し、窪みは、接触面から離れた位置に形成される。
【０００８】
窪みは、ブラシ本体を貫通してもよい。
また、上記ブラシは、ブラシ本体をスライド可能に収容するブラシホルダをさらに備え、ブラシホルダは、ブラシ本体に隣接する壁部に、窪みに連通し且つ壁部を貫通する開口部を有してもよい。
或いは、上記ブラシは、ブラシ本体をスライド可能に収容するブラシホルダをさらに備え、ブラシホルダは、ブラシ本体に隣接する壁部に壁部を貫通する複数の開口部を有し、開口部は、ブラシ本体を貫通する窪みの両側の開口それぞれに隣り合ってもよい。
【発明の効果】
【０００９】
この発明に係るブラシによれば、回転電機の回転子と共に回転する電気接続部に摺動しつつ接触しながらも、その温度上昇を抑えることが可能になる。
【図面の簡単な説明】
【００１０】
【図１】この発明の実施の形態１に係るブラシ及びその周辺の構成を示す模式断面側面図である。
【図２】図１のＩＩ−ＩＩ線に沿った断面図であり、第一極のブラシ本体を示すものである。
【図３】図１のＩＩＩ−ＩＩＩ線に沿った断面図であり、第一極〜第三極のブラシ本体を示すものである。
【図４】図２のＩＶ−ＩＶ線に沿った断面図である。
【図５】図４のＶ−Ｖ線に沿った断面側面図である。
【図６】この発明の実施の形態２に係るブラシの構成を図２と同様にして示す断面図である。
【図７】図６のＶＩＩ−ＶＩＩ線に沿った断面図である。
【図８】この発明の実施の形態３に係るブラシの構成を図２と同様にして示す断面図である。
【図９】図８のＩＸ−ＩＸ線に沿った断面図である。
【図１０】この発明の実施の形態３に係るブラシの変形例を、図５と同様にして示す断面側面図である。
【発明を実施するための形態】
【００１１】
以下、この発明の実施の形態について添付図面に基づいて説明する。
実施の形態１．
まず、この発明の実施の形態１に係るブラシ１００及びその周辺の構成を説明する。
【００１２】
図１を参照すると、ブラシ１００は、スリップリング３０に摺動しつつ接触するように設けられている。
そして、スリップリング３０は、回転電機１の回転シャフト１０に一体回転するように連結されている。ここで、スリップリング３０は、電気接続部を構成している。
回転電機１は、そのハウジング２内に、回転シャフト１０、円筒状の第一ロータ１１、円筒状の第二ロータ１２、及び円筒状のステータ１３を有し、ダブルロータ型の回転電機を構成している。
【００１３】
第一ロータ１１は、回転シャフト１０の外周面１０ａを囲むようにして設けられ、回転シャフト１０と一体に回転する。第一ロータ１１は、その内部に、周方向に沿って配置された図示しないコイルを有している。
ここで、第一ロータ１１は、回転子を構成している。
第二ロータ１２は、第一ロータ１１の径方向外側周囲を囲むようにして設けられ、略円筒状の第二ロータブラケット１２ａによって支持されている。第二ロータ１２及び第二ロータブラケット１２ａは一体となって、回転シャフト１０の外周面１０ａによって相対回転可能に支持される。第二ロータ１２は、その内部に、周方向に沿って配置された永久磁石１２ｂを有している。
ステータ１３は、第二ロータ１２の径方向外側周囲を囲むようにして設けられ、ハウジング２に固定されている。ステータ１３は、その内部に、周方向に沿って配置された図示しないコイルを有している。
【００１４】
回転シャフト１０では、ハウジング２から突出する端部１０ｂから軸方向に沿って形成された凹部１０ｃ内に、導電性をもつ３つのバスバー２１が挿入されている。バスバー２１における凹部１０ｃから突出する部位には、スリップリング３０が取り付けられる。
【００１５】
また、各バスバー２１は、回転シャフト１０の外周面１０ａの３つの端子穴１０ｄに挿入され且つ回転シャフト１０に対して電気的に絶縁された導電性のある接続端子２２の１つ、及びこの接続端子２２に接続されたリード２３を介して第一ロータ１１のコイルと電気的に接続されている。さらに、各バスバー２１は、回転シャフト１０の凹部１０ｃ内に充填された絶縁材料である樹脂２４によって、他のバスバー２１及び回転シャフト１０と電気的に絶縁されている。
【００１６】
スリップリング３０は、電気的な絶縁性を有する３つの円板状の絶縁板３１ａ、３１ｂ及び３１ｃと、導電性を有する３つの円板状のスリップリング板３２ａ、３２ｂ及び３２ｃとを交互に積層した構造を有している。さらに、スリップリング３０は、電気的な絶縁性を有する円板状の端部絶縁板３３を端部に有している。絶縁板３１ａ、３１ｂ及び３１ｃ、スリップリング板３２ａ、３２ｂ及び３２ｃ、並びに端部絶縁板３３はそれぞれ、互いに同一の外径で形成されており、さらに、３つのバスバー２１を貫通させてバスバー２１及び回転シャフト１０に取り付けられている。
【００１７】
絶縁板３１ａが回転シャフト１０に隣接して配置され、さらに、この絶縁板３１ａに隣接して、スリップリング板３２ａ、３２ｂ及び３２ｃと絶縁板３１ｂ及び３１ｃとが交互に配置されている。絶縁板３１ａ、３１ｂ及び３１ｃは、スリップリング板３２ａと回転シャフト１０との間、及び、スリップリング板３２ａ、３２ｂ及び３２ｃ同士の間を電気的に絶縁する。
【００１８】
また、回転シャフト１０と反対側の端に位置するスリップリング板３２ｃに隣接して、端部絶縁板３３が配置されている。そして、端部絶縁板３３を貫通して突出するバスバー２１それぞれの端部に形成された雄ねじ２１ａに、ナット２５が締結され、それにより、積層された端部絶縁板３３、スリップリング板３２ａ、３２ｂ及び３２ｃ、並びに絶縁板３１ａ、３１ｂ及び３１ｃが回転シャフト１０の端部１０ｂに押し付けられ固定される。
このとき、絶縁板３１ａ、３１ｂ及び３１ｃ、スリップリング板３２ａ、３２ｂ及び３２ｃ、並びに端部絶縁板３３は、それぞれの中心軸を回転シャフト１０の回転中心軸である中心軸Ｃ（図２参照）と同一にしている。
【００１９】
また、各バスバー２１は、その周囲の絶縁部材３４によって、スリップリング板３２ａ、３２ｂ及び３２ｃのいずれかと電気的に絶縁されている。つまり、各スリップリング板３２ａ、３２ｂ及び３２ｃは、互いに異なる１つのバスバー２１とのみ電気的に接続される。
【００２０】
また、スリップリング３０の周囲を囲むようにして有底円筒状の内カバー３が設けられ、さらに、内カバー３の外側周囲を間隙をあけて囲むようにして有底円筒状の外カバー４が設けられている。内カバー３及び外カバー４は、ハウジング２に一緒に固定されている。そして、内カバー３と外カバー４との間には、空気通路５が形成されている。空気通路５は、外カバー４の外周に形成された外カバー貫通穴４ａを介して、外部に連通する。
【００２１】
内カバー３の円筒状の内周面３ａには、スリップリング３０のスリップリング板３２ａ及び絶縁板３１ｂに対向する位置、スリップリング板３２ｂ及び絶縁板３１ｃに対向する位置、並びに、スリップリング板３２ｃ及び端部絶縁板３３に対向する位置にそれぞれ、ベースプレート１０７、１０８及び１０９が設けられ固定されている。ベースプレート１０７、１０８及び１０９はそれぞれ、図３に示すように、内周面３ａの周方向に沿って等間隔に３つずつ設けられたベースプレート部によって構成され、各ベースプレート部は互いに同形状である。なお、ベースプレート１０７は、ベースプレート部１０７ａ、１０７ｂ及び１０７ｃ（実線表示）によって構成され、ベースプレート１０８は、ベースプレート部１０８ａ、１０８ｂ及び１０８ｃ（一点鎖線表示）によって構成され、ベースプレート１０９は、ベースプレート部１０９ａ、１０９ｂ及び１０９ｃ（二点鎖線表示）によって構成されている。
【００２２】
図１及び図３をあわせて参照すると、ベースプレート１０７、１０８及び１０９それぞれの回転シャフト１０側に、ブラシ保持部１０４、１０５及び１０６が取り付けられている。そして、ブラシ保持部１０４、１０５及び１０６はそれぞれ、ベースプレート１０７、１０８及び１０９と共に、角筒状の形状を形成すると共に、ブラシホルダ１１０、１２０及び１３０を構成している。
なお、図３では、ベースプレート１０７及びブラシ保持部１０４並びに後述する第一ブラシ本体１０１を構成する要素は、実線で示され、ベースプレート１０８及びブラシ保持部１０５並びに後述する第二ブラシ本体１０２を構成する要素は、一点鎖線で示され、ベースプレート１０９及びブラシ保持部１０６並びに後述する第三ブラシ本体１０３を構成する要素は、二点鎖線で示されている。
【００２３】
また、ブラシ保持部１０４、１０５及び１０６のそれぞれには、第一ブラシ本体１０１、第二ブラシ本体１０２及び第三ブラシ本体１０３が挿入され、内部でスライド可能に保持されている。第一ブラシ本体１０１、第二ブラシ本体１０２及び第三ブラシ本体１０３はそれぞれ、図示しない付勢部材によって、スリップリング板３２ａ、３２ｂ及び３２ｃの周面に押し付けられ、接触している。
さらに、第一ブラシ本体１０１〜第三ブラシ本体１０３にはそれぞれ、図示しないリードが接続されており、リードは、外部のインバータ、バッテリ等の電気機器に電気的に接続されている。よって、回転電機１の第一ロータ１１のコイルには、第一ブラシ本体１０１〜第三ブラシ本体１０３、スリップリング板３２ａ〜３２ｃ、並びにバスバー２１を介して、三相交流電流が供給される。
【００２４】
ここで、第一ブラシ本体１０１、第二ブラシ本体１０２及び第三ブラシ本体１０３は、ブラシ１００を構成している。また、ブラシ保持部１０４及びベースプレート１０７からなるブラシホルダ１１０、ブラシ保持部１０５及びベースプレート１０８からなるブラシホルダ１２０、並びにブラシ保持部１０６及びベースプレート１０９からなるブラシホルダ１３０も、ブラシ１００を構成している。
さらに、第一ブラシ本体１０１及びブラシホルダ１１０は、ブラシ１００の第一極を構成し、第二ブラシ本体１０２及びブラシホルダ１２０は、ブラシ１００の第二極を構成し、第三ブラシ本体１０３及びブラシホルダ１３０は、ブラシ１００の第三極を構成している。そして、第一極〜第三極に三相交流電流が供給される。
【００２５】
また、ハウジング２には、第一ブラシ本体１０１、第二ブラシ本体１０２又は第三ブラシ本体１０３と対向する位置に、ハウジング２の内部を内カバー３の内部に連通する複数のハウジング貫通穴２ａが形成されている。また、内カバー３には、第一ブラシ本体１０１、第二ブラシ本体１０２又は第三ブラシ本体１０３と対向する位置に、内カバー３の内部を空気通路５に連通する複数の内カバー貫通穴３ｂが形成されている。
【００２６】
図２を参照すると、ベースプレート１０７（図１参照）を構成するベースプレート部１０７ａ、１０７ｂ及び１０７ｃと同様に、ブラシ保持部１０４（図１参照）も、同形状をした３つのブラシ保持部１０４ａ、１０４ｂ及び１０４ｃによって構成されている。ブラシ保持部１０４ａ〜１０４ｃはそれぞれ、ベースプレート部１０７ａ〜１０７ｃに取り付けられ、スリップリング板３２ａ〜３２ｃ（図１参照）の中心軸Ｃに沿う方向で見たとき、ベースプレート部１０７ａ〜１０７ｃと同一の幅（スリップリング板３２ａの周方向の幅）を有している。そして、ブラシ保持部１０４ａ及びベースプレート部１０７ａ、ブラシ保持部１０４ｂ及びベースプレート部１０７ｂ、並びに、ブラシ保持部１０４ｃ及びベースプレート部１０７ｃはそれぞれ、ブラシホルダ１１０を構成するブラシホルダ部１１０ａ、１１０ｂ並びに１１０ｃを形成している。
【００２７】
図４をあわせて参照すると、ブラシ保持部１０４ａ、１０４ｂ及び１０４ｃはそれぞれ、コの字状の断面を有する本体部１０４ａ１、１０４ｂ１及び１０４ｃ１と、本体部１０４ａ１、１０４ｂ１及び１０４ｃ１の両側縁部から垂直に延出する板状のフランジ部１０４ａ２、１０４ｂ２及び１０４ｃ２とによって構成されている。
そして、ブラシ保持部１０４ａ、１０４ｂ及び１０４ｃそれぞれの両フランジ部１０４ａ２、１０４ｂ２及び１０４ｃ２が、ベースプレート部１０７ａ、１０７ｂ及び１０７ｃにおける図２の紙面上で手前側つまり回転シャフト１０側の平坦な表面１０７ａ１、１０７ｂ１及び１０７ｃ１上に取り付け、固定されている。本体部１０４ａ１、１０４ｂ１及び１０４ｃ１はそれぞれ、表面１０７ａ１、１０７ｂ１及び１０７ｃ１と共に、内側に四角筒状の保持穴１０４ａ３、１０４ｂ３及び１０４ｃ３を形成する。
【００２８】
さらに、ブラシ保持部１０４ａ、１０４ｂ及び１０４ｃはそれぞれ、保持穴１０４ａ３、１０４ｂ３及び１０４ｃ３の四角筒の中心軸を中心軸Ｃに向けるようにして、中心軸Ｃから放射状に等間隔に配置されている。つまり、ブラシ保持部１０４ａ、１０４ｂ及び１０４ｃは互いに、中心軸Ｃを中心とした中心角１２０°の回転対称の関係となっている。そして、保持穴１０４ａ３、１０４ｂ３及び１０４ｃ３にそれぞれ、第一ブラシ本体１０１（図１参照）を構成する角柱状のブラシ本体部１０１ａ、１０１ｂ及び１０１ｃが挿入され、ブラシ本体部１０１ａ、１０１ｂ及び１０１ｃは図示しない付勢部材によってスリップリング板３２ａに押圧されている。
【００２９】
また、ブラシ本体部１０１ａは、ベースプレート部１０７ａの表面１０７ａ１に垂直な両側面１０１ａ２及び１０１ａ３にそれぞれ、保持穴１０４ａ３の延在方向に沿って、つまりスリップリング板３２ａに向かう方向に沿って延びる複数の溝１０１ａ６を有している。さらに、側面１０１ａ２及び１０１ａ３の溝１０１ａ６はそれぞれ、反対側の側面１０１ａ３及び１０１ａ２に貫通していない。なお、側面１０１ａ２及び１０１ａ３は、ブラシ本体部１０１ａにおいて、スリップリング板３２ａとの接触面１０１ａ１に隣接した側面である。
ここで、溝１０１ａ６は、窪みを構成している。
【００３０】
図５をあわせて参照すると、溝１０１ａ６それぞれにおいて、中心軸Ｃに向かう一方の端部は、ブラシ本体部１０１ａの接触面１０１ａ１から離れた位置で終端しており、反対側の端部は、ブラシ本体部１０１ａにおける接触面１０１ａ１と反対側の面に開口している。このため、接触面１０１ａ１の面積は、溝１０１ａ６を形成することによって減少していない。
【００３１】
また、ブラシ本体部１０１ｂも、ブラシ本体部１０１ｂにおけるスリップリング板３２ａとの接触面１０１ｂ１に隣接し且つベースプレート部１０７ｂの表面１０７ｂ１に垂直である両側面１０１ｂ２及び１０１ｂ３にそれぞれ、スリップリング板３２ａに向かう方向に沿って延びる複数の溝１０１ｂ６を有している。溝１０１ｂ６もそれぞれ、一方の端部が、ブラシ本体部１０１ｂの接触面１０１ｂ１から離れた位置で終端しており、反対側の端部が、ブラシ本体部１０１ｂにおける接触面１０１ｂ１と反対側の面に開口している。
さらに、ブラシ本体部１０１ｃも、ブラシ本体部１０１ｃにおけるスリップリング板３２ａとの接触面１０１ｃ１に隣接し且つベースプレート部１０７ｃの表面１０７ｃ１に垂直である両側面１０１ｃ２及び１０１ｃ３にそれぞれ、スリップリング板３２ａに向かう方向に沿って延びる複数の溝１０１ｃ６を有している。溝１０１ｃ６もそれぞれ、一方の端部が、ブラシ本体部１０１ｃの接触面１０１ｃ１から離れた位置で終端しており、反対側の端部が、ブラシ本体部１０１ｃにおける接触面１０１ｃ１と反対側の面に開口している。
【００３２】
図３を参照すると、ブラシ保持部１０５（図１参照）も、３つの同形状のブラシ保持部１０５ａ、１０５ｂ及び１０５ｃによって構成されている。ブラシ保持部１０５ａ、１０５ｂ及び１０５ｃもそれぞれ、コの字状断面の本体部とフランジ部とによって構成され、両フランジ部でベースプレート部１０８ａ、１０８ｂ及び１０８ｃの回転シャフト１０側の平坦な表面１０８ａ１、１０８ｂ１及び１０８ｃ１に固定されている。そして、ブラシ保持部１０５ａ、１０５ｂ及び１０５ｃはそれぞれ、表面１０８ａ１、１０８ｂ１及び１０８ｃ１との間に四角筒状の保持穴１０５ａ３、１０５ｂ３及び１０５ｃ３を形成する。
【００３３】
ブラシ保持部１０５ａ〜１０５ｃはそれぞれ、保持穴１０５ａ３〜１０５ｃ３の中心軸を中心軸Ｃに向けるようにして、互いに中心軸Ｃを中心とした中心角１２０°の回転対称の関係で配置されている。さらに、保持穴１０５ａ３、１０５ｂ３及び１０５ｃ３にはそれぞれ、第二ブラシ本体１０２（図１参照）を構成する角柱状のブラシ本体部１０２ａ、１０２ｂ及び１０２ｃがスライド可能に挿入されてスリップリング板３２ｂ（図１参照）に押圧されている。
【００３４】
また、ブラシ本体部１０２ａ〜１０２ｃはそれぞれ、ブラシ本体部１０１ａ〜１０１ｃと同様の構成を有している。
つまり、ブラシ本体部１０２ａは、表面１０８ａ１に垂直な両側面１０２ａ２及び１０２ａ３に複数の溝１０２ａ６を有している。溝１０２ａ６はそれぞれ、スリップリング板３２ｂ（図１参照）に向かう方向に沿って延びて、ブラシ本体部１０２ａのスリップリング板３２ｂとの接触面１０２ａ１から離れた位置で終端し、溝１０２ａ６が形成された側面から反対側の側面にブラシ本体部１０２ａを貫通していない。
【００３５】
そして、ブラシ本体部１０２ｂも、表面１０８ｂ１に垂直な両側面１０２ｂ２及び１０２ｂ３に、スリップリング板３２ｂ（図１参照）に向かう方向に沿って延びてブラシ本体部１０２ｂのスリップリング板３２ｂとの接触面１０２ｂ１から離れた位置で終端する複数の溝１０２ｂ６を有している。ブラシ本体部１０２ｃも、表面１０８ｃ１に垂直な両側面１０２ｃ２及び１０２ｃ３に、スリップリング板３２ｂ（図１参照）に向かう方向に沿って延びてブラシ本体部１０２ｃのスリップリング板３２ｂとの接触面１０２ｃ１から離れた位置で終端する複数の溝１０２ｃ６を有している。
さらに、第二極のブラシ本体部１０２ａ〜１０２ｃ、ブラシ保持部１０５ａ〜１０５ｃ及びベースプレート部１０８ａ〜１０８ｃはいずれも、中心軸Ｃに沿う図３の紙面上の手前から奥行き方向に見たとき、第一極のブラシ本体部１０１ａ〜１０１ｃ、ブラシ保持部１０４ａ〜１０４ｃ及びベースプレート部１０７ａ〜１０７ｃと重ならないように、中心軸Ｃを中心とする周方向にずらして配置されている。
【００３６】
また、ブラシ保持部１０６（図１参照）も、３つの同形状のブラシ保持部１０６ａ、１０６ｂ及び１０６ｃによって構成されている。ブラシ保持部１０６ａ、１０６ｂ及び１０６ｃも、コの字状断面の本体部とフランジ部とによって構成され、両フランジ部でベースプレート部１０９ａ、１０９ｂ及び１０９ｃの回転シャフト１０側の平坦な表面１０９ａ１、１０９ｂ１及び１０９ｃ１に固定されている。そして、ブラシ保持部１０６ａ、１０６ｂ及び１０６ｃはそれぞれ、表面１０９ａ１、１０９ｂ１及び１０９ｃ１との間に四角筒状の保持穴１０６ａ３、１０６ｂ３及び１０６ｃ３を形成する。
【００３７】
ブラシ保持部１０６ａ〜１０６ｃはそれぞれ、保持穴１０６ａ３〜１０６ｃ３の中心軸を中心軸Ｃに向けるようにして、互いに中心軸Ｃを中心とした中心角１２０°の回転対称の関係で配置されている。さらに、保持穴１０６ａ３、１０６ｂ３及び１０６ｃ３にはそれぞれ、第三ブラシ本体１０３（図１参照）を構成する角柱状のブラシ本体部１０３ａ、１０３ｂ及び１０３ｃがスライド可能に挿入されてスリップリング板３２ｃ（図１参照）に押圧されている。
【００３８】
また、ブラシ本体部１０３ａ〜１０３ｃはそれぞれ、ブラシ本体部１０１ａ〜１０１ｃと同様の構成を有している。
つまり、ブラシ本体部１０３ａは、表面１０９ａ１に垂直な両側面１０３ａ２及び１０３ａ３に複数の溝１０３ａ６を有している。溝１０３ａ６はそれぞれ、スリップリング板３２ｃ（図１参照）に向かう方向に沿って延びて、ブラシ本体部１０３ａのスリップリング板３２ｃとの接触面１０３ａ１から離れた位置で終端し、溝１０３ａ６が形成された側面から反対側の側面にブラシ本体部１０３ａを貫通していない。
【００３９】
そして、ブラシ本体部１０３ｂも、表面１０９ｂ１に垂直な両側面１０３ｂ２及び１０３ｂ３に、スリップリング板３２ｃ（図１参照）に向かう方向に沿って延びてブラシ本体部１０３ｂのスリップリング板３２ｃとの接触面１０３ｂ１から離れた位置で終端する複数の溝１０３ｂ６を有している。ブラシ本体部１０３ｃも、表面１０９ｃ１に垂直な両側面１０３ｃ２及び１０３ｃ３に、スリップリング板３２ｃ（図１参照）に向かう方向に沿って延びて、ブラシ本体部１０３ｃのスリップリング板３２ｃとの接触面１０３ｃ１から離れた位置で終端する複数の溝１０３ｃ６を有している。
【００４０】
さらに、第三極のブラシ本体部１０３ａ〜１０３ｃ、ブラシ保持部１０６ａ〜１０６ｃ及びベースプレート部１０９ａ〜１０９ｃはいずれも、中心軸Ｃに沿う図３の紙面上の手前から奥行き方向に見たとき、第一極のブラシ本体部１０１ａ〜１０１ｃ、ブラシ保持部１０４ａ〜１０４ｃ及びベースプレート部１０７ａ〜１０７ｃ、並びに、第二極のブラシ本体部１０２ａ〜１０２ｃ、ブラシ保持部１０５ａ〜１０５ｃ及びベースプレート部１０８ａ〜１０８ｃと重ならないように、中心軸Ｃを中心とする周方向にずらして配置されている。
よって、中心軸Ｃに沿う図３の紙面上の手前から奥行き方向に見たとき、第一極〜第三極の間おいてブラシ本体部、ブラシ保持部及びベースプレート部が互いに重ならない。
【００４１】
次いで、この発明の実施の形態１に係るブラシ１００及びその周辺の動作を説明する。
図１を参照すると、外部の電気機器から第一ブラシ本体１０１〜第三ブラシ本体１０３に三相交流電流が供給されると、供給された電流は、スリップリング３０のスリップリング板３２ａ、３２ｂ及び３２ｃ、各バスバー２１、各接続端子２２、並びに各リード２３を介して、回転電機１の第一ロータ１１のコイルに供給される。第一ロータ１１のコイルを流れる電流は、回転磁界を発生し、この回転磁界が第二ロータ１２の永久磁石１２ｂに生じさせる電動トルクによって、第二ロータ１２が回転される。
【００４２】
そして、電流が流れることで発熱する第一ロータ１１のコイルを冷却するために、回転電機１のハウジング２の内部には、外気などの冷却用の気体が外部から供給される。
ハウジング２内に供給された外部の空気は、ハウジング貫通穴２ａを通って内カバー３の内部に流入し、さらに、内カバー３の内部を流通した後、内カバー貫通穴３ｂを通って空気通路５に流入し、その後、外カバー貫通穴４ａから外部に排出される。
【００４３】
図３をあわせて参照すると、内カバー３の内部では、空気は、ハウジング貫通穴２ａから内カバー貫通穴３ｂに向かって流通する途中にあるブラシ本体部１０１ａ〜１０１ｃ、１０２ａ〜１０２ｃ及び１０３ａ〜１０３ｃと接触し、これらを冷却する。
【００４４】
このとき、空気の流れの一部は、まず、ブラシ本体部１０１ａ〜１０１ｃとそれぞれ直接接触し、その後、内カバー貫通穴３ｂに向かって流れる。
また、空気の流れのその他の一部は、ベースプレート部１０７ａ〜１０７ｃ同士の間の空間を通って、ブラシ本体部１０２ａ〜１０２ｃと直接接触し、その後、内カバー貫通穴３ｂに向かって流れる。
さらにまた、空気の流れのその他の一部は、ベースプレート部１０７ａ〜１０７ｃ同士の間からベースプレート部１０８ａ〜１０８ｃ同士の間を通って、ブラシ本体部１０３ａ〜１０３ｃと直接接触し、その後、内カバー貫通穴３ｂに向かって流れる。
【００４５】
このとき、各ブラシ本体部１０１ａ〜１０１ｃ、１０２ａ〜１０２ｃ及び１０３ａ〜１０３ｃでは、他のブラシ本体部と接触及び熱交換を行っていない空気が直接接触するため、冷却効率が向上している。
さらに、各ブラシ本体部１０１ａ〜１０１ｃ、１０２ａ〜１０２ｃ及び１０３ａ〜１０３ｃは、側面に溝１０１ａ６〜１０１ｃ６、１０２ａ６〜１０２ｃ６及び１０３ａ６〜１０３ｃ６が形成されることによって、表面積を増加させ、空気との接触面積を増加させている。よって、各ブラシ本体部１０１ａ〜１０１ｃ、１０２ａ〜１０２ｃ及び１０３ａ〜１０３ｃは、空気による冷却効率を向上させている。
【００４６】
また、各ブラシ本体部におけるスリップリング板３２ａ〜３２ｃとの接触面１０１ａ１〜１０１ｃ１、１０２ａ１〜１０２ｃ１及び１０３ａ１〜１０３ｃ１は、溝１０１ａ６〜１０１ｃ６、１０２ａ６〜１０２ｃ６及び１０３ａ６〜１０３ｃ６の開口を有さず、その接触面積を減少させていない。このため、各ブラシ本体部は、溝を有しながらも接触面の接触面積を確保することで、摺動時の摩擦による発熱量の増加を抑えている。これによっても、各ブラシ本体部１０１ａ〜１０１ｃ、１０２ａ〜１０２ｃ及び１０３ａ〜１０３ｃは、空気による冷却効率を向上させている。
【００４７】
このように、この発明の実施の形態１に係るブラシ１００は、回転電機１の第一ロータ１１と共に回転するスリップリング３０と接触する。ブラシ１００は、スリップリング３０に接触するブラシ本体部１０１ａ〜１０１ｃ、１０２ａ〜１０２ｃ及び１０３ａ〜１０３ｃを備える。ブラシ本体部１０１ａ〜１０１ｃ、１０２ａ〜１０２ｃ及び１０３ａ〜１０３ｃは、スリップリング３０と摺動しつつ接触する接触面１０１ａ１〜１０１ｃ１、１０２ａ１〜１０２ｃ１及び１０３ａ１〜１０３ｃ１を有すると共に、接触面に隣接する側面に形成された溝１０１ａ６〜１０１ｃ６、１０２ａ６〜１０２ｃ６及び１０３ａ６〜１０３ｃ６を有している。溝１０１ａ６〜１０１ｃ６、１０２ａ６〜１０２ｃ６及び１０３ａ６〜１０３ｃ６は、接触面から離れた位置に形成されている。
【００４８】
このとき、溝１０１ａ６〜１０１ｃ６、１０２ａ６〜１０２ｃ６及び１０３ａ６〜１０３ｃ６が形成されることによって、ブラシ本体部１０１ａ〜１０１ｃ、１０２ａ〜１０２ｃ及び１０３ａ〜１０３ｃは、その表面積を増加させて周囲の空気等の冷却用気体との接触面積を増加させるため、その冷却効率を向上させる。さらに、溝１０１ａ６〜１０１ｃ６、１０２ａ６〜１０２ｃ６及び１０３ａ６〜１０３ｃ６が、ブラシ本体部の接触面１０１ａ１〜１０１ｃ１、１０２ａ１〜１０２ｃ１及び１０３ａ１〜１０３ｃ１に到達せずに離れているため、溝の形成によって接触面の面積は減少しない。よって、溝の形成は、接触面での摩擦による発熱量を増加させない。従って、ブラシ１００は、ブラシ本体部１０１ａ〜１０１ｃ、１０２ａ〜１０２ｃ及び１０３ａ〜１０３ｃの温度上昇を抑制することができる。
【００４９】
また、実施の形態１のブラシ１００において、ブラシ保持部１０４〜１０６又はベースプレート１０７〜１０９におけるブラシ本体部の溝１０１ａ６〜１０１ｃ６、１０２ａ６〜１０２ｃ６及び１０３ａ６〜１０３ｃ６と隣接する部位に、開口を形成してもよい。これにより、溝が覆われずに外部に露出し周囲の空気と直接接触する面積が増加するため、ブラシ本体部の冷却効率が向上する。
【００５０】
また、実施形態１のブラシ１００では、各ブラシ本体部１０１ａ〜１０１ｃ、１０２ａ〜１０２ｃ及び１０３ａ〜１０３ｃにおいて、スリップリング板３２ａ〜３２ｃの中心軸Ｃに沿う方向に延在する側面に溝１０１ａ６〜１０１ｃ６、１０２ａ６〜１０２ｃ６及び１０３ａ６〜１０３ｃ６が形成されていたが、これに限定されるものでない。上記溝と別個又は上記溝と共に、中心軸Ｃに垂直なスリップリング板３２ａ〜３２ｃに沿う方向に延在する側面に溝が形成されていてもよい。なお、上記の形成された溝は、中心軸Ｃを中心とする円筒の周方向に向かって延在してもよい。
また、実施の形態１のブラシ１００のブラシ本体部１０１ａ〜１０１ｃ，１０２ａ〜１０２ｃ，１０３ａ〜１０３ｃにおいて、溝１０１ａ６〜１０１ｃ６，１０２ａ６〜１０２ｃ６，１０３ａ６〜１０３ｃ６は、中心軸Ｃに向かって延在していたが、中心軸Ｃに沿う方向に延在していてもよい。
【００５１】
実施の形態２．
この発明の実施の形態２に係るブラシ２００は、実施の形態１に係るブラシ１００において、各ブラシ本体部の溝１０１ａ６〜１０１ｃ６、１０２ａ６〜１０２ｃ６及び１０３ａ６〜１０３ｃ６が各ブラシ本体部を貫通しないように形成されていたものを、各ブラシ本体部を貫通するようにしたものである。
なお、以下の実施の形態において、前出した図における参照符号と同一の符号は、同一または同様な構成要素であるので、その詳細な説明は省略する。
【００５２】
図６を参照すると、実施の形態２に係るブラシ２００において、ベースプレート部１０７ａ、１０７ｂ及び１０７ｃそれぞれに設けられたブラシ保持部２０４ａ、２０４ｂ及び２０４ｃと、ブラシ保持部２０４ａ、２０４ｂ及び２０４ｃにそれぞれ挿入された第一ブラシ本体のブラシ本体部２０１ａ、２０１ｂ及び２０１ｃとが記載されている。なお、図６では、ベースプレート部１０８ａ〜１０８ｃ及び１０９ａ〜１０９ｃ（図３参照）に設けられるブラシ本体部及びブラシ保持部は、描かれていない。
ブラシ保持部２０４ａ〜２０４ｃは、実施の形態１におけるブラシ１００のブラシ保持部１０４ａ〜１０４ｃと同様の位置及び向きで配置されている。
【００５３】
図７をあわせて参照すると、ブラシ保持部２０４ａ、２０４ｂ及び２０４ｃはそれぞれ、同形状をした第一部材２０４ａａ、２０４ｂａ及び２０４ｃａ、並びに第二部材２０４ａｂ、２０４ｂｂ及び２０４ｃｂによって構成されている。
第一部材２０４ａａ、２０４ｂａ及び２０４ｃａはそれぞれ、Ｌ字状断面を有する本体部２０４ａａ１、２０４ｂａ１及び２０４ｃａ１と、本体部２０４ａａ１、２０４ｂａ１及び２０４ｃａ１の側縁部から延出するフランジ部２０４ａａ２、２０４ｂａ２及び２０４ｃａ２とによって構成されている。
第二部材２０４ａｂ、２０４ｂｂ及び２０４ｃｂもそれぞれ、Ｌ字状断面を有する本体部２０４ａｂ１、２０４ｂｂ１及び２０４ｃｂ１と、本体部２０４ａｂ１、２０４ｂｂ１及び２０４ｃｂ１の側縁部から延出するフランジ部２０４ａｂ２、２０４ｂｂ２及び２０４ｃｂ２とによって構成されている。
【００５４】
ブラシ保持部２０４ａでは、第一部材２０４ａａ及び第二部材２０４ａｂは、隙間２０４ａ４をあけて本体部２０４ａａ１及び２０４ａｂ１を対向させるようにして、フランジ部２０４ａａ２及び２０４ａｂ２でベースプレート部１０７ａの表面１０７ａ１に固定される。これにより、本体部２０４ａａ１、本体部２０４ａｂ１及び表面１０７ａ１の内側に四角筒状のブラシ収容空間２０４ａ３が形成される。
【００５５】
ブラシ保持部２０４ｂでも同様に、第一部材２０４ｂａ及び第二部材２０４ｂｂが、隙間２０４ｂ４をあけて本体部２０４ｂａ１及び２０４ｂｂ１を対向させるようにして、フランジ部２０４ｂａ２及び２０４ｂｂ２でベースプレート部１０７ｂの表面１０７ｂ１に固定される。そして、本体部２０４ｂａ１、本体部２０４ｂｂ１及び表面１０７ｂ１の内側に四角筒状のブラシ収容空間２０４ｂ３が形成される。
ブラシ保持部２０４ｃでも同様に、第一部材２０４ｃａ及び第二部材２０４ｃｂが、隙間２０４ｃ４をあけて本体部２０４ｃａ１及び２０４ｃｂ１を対向させるようにして、フランジ部２０４ｃａ２及び２０４ｃｂ２でベースプレート部１０７ｃの表面１０７ｃ１に固定される。そして、本体部２０４ｃａ１、本体部２０４ｃｂ１及び表面１０７ｃ１の内側に四角筒状のブラシ収容空間２０４ｃ３が形成される。
【００５６】
各ブラシ保持部２０４ａ〜２０４ｃのブラシ収容空間２０４ａ３〜２０４ｃ３それぞれには、角柱状のブラシ本体部２０１ａ〜２０１ｃがスライド可能に挿入される。
ブラシ本体部２０１ａ、２０１ｂ及び２０１ｃはそれぞれ、表面１０７ａ１、１０７ｂ１及び１０７ｃ１に対向する回転シャフト１０側の側面２０１ａ４、２０４ｂ４及び２０１ｃ４に、中心軸Ｃに向かって延びる貫通溝２０１ａ６、２０１ｂ６及び２０１ｃ６を有している。貫通溝２０１ａ６、２０１ｂ６及び２０１ｃ６はそれぞれ、側面２０１ａ４、２０１ｂ４及び２０１ｃ４から反対側の側面２０１ａ５、２０１ｂ５及び２０１ｃ５にわたって、ブラシ本体部２０１ａ、２１０ｂ及び２０１ｃを貫通している。つまり、貫通溝２０１ａ６〜２０１ｃ６はそれぞれ、中心軸Ｃに沿う方向にブラシ本体部２０１ａ〜２０１ｃを貫通している。
【００５７】
貫通溝２０１ａ６、２０１ｂ６及び２０１ｃ６それぞれにおいて、中心軸Ｃに向かう一方の端部は、ブラシ本体部２０１ａ、２０１ｂ及び２０１ｃにおけるスリップリング板３２ａとの接触面２０１ａ１、２０１ｂ１及び２０１ｃ１から離れた位置で終端している。貫通溝２０１ａ６〜２０１ｃ６の反対側の端部は、ブラシ本体部２０１ａ〜２０１ｃにおける接触面２０１ａ１〜２０１ｃ１と反対側の面に開口している。このため、接触面２０１ａ１〜２０１ｃ１の面積は、貫通溝２０１ａ６〜２０１ｃ６を形成することによって減少していない。
さらに、貫通溝２０１ａ６〜２０１ｃ６はそれぞれ、少なくとも一部でブラシ保持部２０４ａ〜２０４ｃの隙間２０４ａ４〜２０４ｃ４で開口している。
【００５８】
また、ベースプレート部１０７ａ、１０７ｂ及び１０７ｃの表面１０７ａ１、１０７ｂ１及び１０７ｃ１のそれぞれには、貫通溝２０１ａ６、２０１ｂ６及び２０１ｃ６に対向する位置に、ベースプレート部１０７ａ、１０７ｂ及び１０７ｃを貫通する空気排出穴１０７ａ２、１０７ｂ２及び１０７ｃ２が形成されている。よって、空気排出穴１０７ａ２〜１０７ｃ２はそれぞれ、貫通溝２０１ａ６〜２０１ｃ６を外部に連通する。
【００５９】
また、ベースプレート部１０８ａ〜１０８ｃ及び１０９ａ〜１０９ｃ（図３参照）に設けられるブラシ保持部も、ブラシ保持部２０４ａ〜２０４ｃと同様にして構成されている。さらに、ベースプレート部１０８ａ〜１０８ｃの第二ブラシ本体の各ブラシ本体部、及びベースプレート部１０９ａ〜１０９ｃの第三ブラシ本体の各ブラシ本体部にも、中心軸Ｃに沿う方向に各ブラシ本体部を貫通する貫通溝が、ブラシ本体部２０１ａ〜２０１ｃと同様に形成されている。そして、ベースプレート部１０８ａ〜１０８ｃ及び１０９ａ〜１０９ｃに、ブラシ本体部の貫通溝に連通する空気排出穴が形成されている。
【００６０】
また、第二極のベースプレート部１０８ａ〜１０８ｃ並びにそのブラシ本体部及びブラシ保持部と、第三極のベースプレート部１０９ａ〜１０９ｃ並びにそのブラシ本体部及びブラシ保持部と、第一極のベースプレート部１０７ａ〜１０７ｃ並びにそのブラシ本体部２０１ａ〜２０１ｃ及びブラシ保持部２０４ａ〜２０４ｃとは、実施の形態１と同様に、中心軸Ｃに沿う図６の紙面上の手前から奥行き方向に見たとき、互いに重ならないように配置されている。
【００６１】
よって、回転電機１（図１参照）の稼働中、内カバー３内に流入した空気は、ベースプレート部１０７ａ〜１０７ｃにおける貫通溝２０１ａ６〜２０１ｃ６によって表面積を増大させたブラシ本体部２０１ａ〜２０１ｃ、並びに、ベースプレート部１０８ａ〜１０８ｃ及び１０９ａ〜１０９ｃ（図３参照）における貫通溝によって表面積を増大させたブラシ本体部と接触する。さらに、各ブラシ本体部には、他のブラシ本体部と接触して熱交換を行っていない空気が直接接触する。このため、各ブラシ本体部の冷却効率が向上する。
【００６２】
また、ベースプレート部１０７ａ〜１０７ｃにおけるブラシ本体部２０１ａ〜２０１ｃでは、ブラシ保持部２０４ａ〜２０４ｃの隙間２０４ａ４〜２０４ｃ４を介しても、貫通溝２０１ａ６〜２０１ｃ６内に空気が流入し、ベースプレート部１０８ａ〜１０８ｃ及び１０９ａ〜１０９ｃでもブラシ保持部の隙間を介してブラシ本体部の貫通溝内に空気が流入するため、各ブラシ本体部の冷却効率が向上する。さらに、ベースプレート部１０７ａ〜１０７ｃでは、貫通溝２０１ａ６〜２０１ｃ６内に流入した空気は、空気排出穴１０７ａ２〜１０７ｃ２を通って抜け、ベースプレート部１０８ａ〜１０８ｃ及び１０９ａ〜１０９ｃでも貫通溝内に流入した空気は、空気排出穴を通って抜けるため、各ブラシ本体部の貫通溝には新しい空気が流入し易くなり、各ブラシ本体部の冷却効率が向上する。
また、この発明の実施の形態２に係るブラシ２００のその他の構成及び動作は、実施の形態１と同様であるため、説明を省略する。
【００６３】
そして、実施の形態２におけるブラシ２００によれば、上記実施の形態１のブラシ１００と同様な効果が得られる。
また、実施の形態２のブラシ２００において、貫通溝２０１ａ６〜２０１ｃ６は、ブラシ本体部２０１ａ〜２０１ｃを貫通して形成されている。これによって、空気等の冷却用気体に、ブラシ本体部２０１ａ〜２０１ｃの内部を通過させることができるため、ブラシ本体部２０１ａ〜２０１ｃを効率的に冷却することが可能になる。
【００６４】
さらに、ブラシ保持部２０４ａ〜２０４及びベースプレート部１０７ａ〜１０７ｃにはそれぞれ、ブラシ本体部２０１ａ〜２０１ｃに隣接する壁部を貫通する隙間２０４ａ４〜２０４ｃ４及び空気排出穴１０７ａ２〜１０７ｃ２が形成され、隙間２０４ａ４〜２０４ｃ４及び空気排出穴１０７ａ２〜１０７ｃ２は、ブラシ本体部２０１ａ〜２０１ｃを貫通する貫通溝２０１ａ６〜２０１ｃ６の両側に隣り合っている。よって、貫通溝２０１ａ６〜２０１ｃ６の両側が塞がれていないため、常に新しい空気等の冷却用気体が貫通溝２０１ａ６〜２０１ｃ６内を流通し易くなり、ブラシ本体部２０１ａ〜２０１ｃの冷却効率を向上させることが可能になる。
また、実施の形態２のブラシ２００のブラシ本体部２０１ａ〜２０１ｃにおいて、貫通溝２０１ａ６〜２０１ｃ６は、中心軸Ｃに沿う方向に貫通していたが、中心軸Ｃを中心とする円筒の周方向に向かって貫通していてもよい。
【００６５】
実施の形態３．
この発明の実施の形態３に係るブラシ３００は、実施の形態２に係るブラシ２００において、各ブラシ本体部に形成されていた各ブラシ本体部を貫通する溝を、複数の貫通穴としたものである。
図８を参照すると、実施の形態３に係るブラシにおいて、実施の形態２と同様にしてベースプレート部１０７ａ、１０７ｂ及び１０７ｃそれぞれに設けられたブラシ保持部２０４ａ、２０４ｂ及び２０４ｃと、ブラシ保持部２０４ａ、２０４ｂ及び２０４ｃにそれぞれ挿入されたブラシ本体部３０１ａ、３０１ｂ及び３０１ｃとが記載されている。なお、図８では、ベースプレート部１０８ａ〜１０８ｃ及び１０９ａ〜１０９ｃ（図３参照）に設けられるブラシ保持部及びブラシは、描かれていない。
【００６６】
図９をあわせて参照すると、ブラシ本体部３０１ａ、３０１ｂ及び３０１ｃはそれぞれ、ベースプレート部１０７ａ、１０７ｂ及び１０７ｃの表面１０７ａ１、１０７ｂ１及び１０７ｃ１に対向する側面３０１ａ４、３０１ｂ４及び３０１ｃ４に、複数の円筒状の貫通穴３０１ａ６、３０１ｂ６及び３０１ｃ６を有している。貫通穴３０１ａ６、３０１ｂ６及び３０１ｃ６はそれぞれ、側面３０１ａ４、３０１ｂ４及び３０１ｃ４から反対側の側面３０１ａ５、３０１ｂ５及び３０１ｃ５にわたって、中心軸Ｃに沿う方向にブラシ本体部３０１ａ、３０１ｂ及び３０１ｃを貫通している。
【００６７】
そして、ブラシ本体部３０１ａ〜３０１ｃの側面３０１ａ４〜３０１ｃ４それぞれにおいて、貫通穴３０１ａ６〜３０１ｃ６は、パンチングメタルの穴状に分布して形成されている。さらに、貫通穴３０１ａ６、３０１ｂ６及び３０１ｃ６はそれぞれ、ブラシ本体部３０１ａ、３０１ｂ及び３０１ｃにおけるスリップリング板３２ａとの接触面３０１ａ１、３０１ｂ１及び３０１ｃ１から離れた位置に形成されている。このため、接触面３０１ａ１〜３０１ｃ１の面積は、貫通穴３０１ａ６〜３０１ｃ６を形成することによって減少していない。
【００６８】
また、ブラシ保持部２０４ａ〜２０４ｃはそれぞれ、貫通穴３０１ａ６〜３０１ｃ６を隙間２０４ａ４〜２０４ｃ４の内側で開口させ、貫通穴３０１ａ６〜３０１ｃ６を塞いでいない。
また、ベースプレート部１０７ａ〜１０７ｃの表面１０７ａ１〜１０７ｃ１のそれぞれには、貫通穴３０１ａ６〜３０１ｃ６の開口に対向する位置に、ベースプレート部１０７ａ〜１０７ｃを貫通する空気排出穴１０７ａ２〜１０７ｃ２が形成されている。よって、空気排出穴１０７ａ２〜１０７ｃ２はそれぞれ、表面１０７ａ１〜１０７ｃ１に隣接して開口する貫通穴３０１ａ６〜３０１ｃ６の全てを外部に連通する。
【００６９】
また、ベースプレート部１０８ａ〜１０８ｃ及び１０９ａ〜１０９ｃ（図３参照）においても、実施の形態２と同様にして設けられたブラシ保持部に挿入されるブラシ本体部には、ブラシ本体部３０１ａ〜３０１ｃと同様に、中心軸Ｃに沿う方向に各ブラシ本体部を貫通する複数の貫通穴が形成されている。そして、ベースプレート部１０８ａ〜１０８ｃ及び１０９ａ〜１０９ｃにも、ブラシ本体部の貫通穴に連通する空気排出穴が形成されている。
【００７０】
そして、第二極のベースプレート部１０８ａ〜１０８ｃ並びにそのブラシ本体部及びブラシ保持部と、第三極のベースプレート部１０９ａ〜１０９ｃ並びにそのブラシ本体部及びブラシ保持部と、第一極のベースプレート部１０７ａ〜１０７ｃ並びにそのブラシ本体部３０１ａ〜３０１ｃ及びブラシ保持部２０４ａ〜２０４ｃとは、実施の形態２と同様に、中心軸Ｃに沿う紙面上の手前から奥行き方向に見たとき、互いに重ならないように配置されている。
【００７１】
よって、回転電機１（図１参照）の稼働中、内カバー３内に流入した空気は、ベースプレート部１０７ａ〜１０７ｃにおける貫通穴３０１ａ６〜３０１ｃ６によって表面積を増大させたブラシ本体部３０１ａ〜３０１ｃ、並びに、ベースプレート部１０８ａ〜１０８ｃ及び１０９ａ〜１０９ｃ（図３参照）における貫通穴によって表面積を増大させたブラシ本体部と接触する。さらに、各ブラシ本体部には、他のブラシ本体部と接触して熱交換を行っていない空気が直接接触する。このため、各ブラシ本体部の冷却効率が向上する。
【００７２】
また、ベースプレート部１０７ａ〜１０７ｃ、１０８ａ〜１０８ｃ及び１０９ａ〜１０９ｃでは、ブラシ保持部によってブラシ本体部の各貫通穴が塞がれないため、各ブラシ本体部の冷却効率が向上する。さらに、ベースプレート部１０７ａ〜１０７ｃ、１０８ａ〜１０８ｃ及び１０９ａ〜１０９ｃの空気排出穴を通って各貫通穴内に流入した空気が抜けるため、各ブラシ本体部の貫通穴には常に新しい空気が流入し、各ブラシ本体部の冷却効率が向上する。
また、この発明の実施の形態３に係るブラシ３００のその他の構成及び動作は、実施の形態２と同様であるため、説明を省略する。
【００７３】
そして、実施の形態３におけるブラシ３００によれば、上記実施の形態２のブラシ２００と同様な効果が得られる。
また、実施の形態３のブラシ３００では、ブラシ本体部３０１ａ〜３０１ｃの貫通穴３０１ａ６〜３０１ｃ６は、中心軸Ｃに沿った方向に形成されていたが、これに限定されるものでない。図１０のブラシ本体部３０１ａに示すように、スリップリング板３２ａの回転方向に向かって貫通穴３０１ａ６が複数形成されていてもよい。この場合、中心軸Ｃ（図８参照）に沿う方向の開口部がブラシ保持部に必要ないため、ブラシ本体部３０１ａは、実施の形態１と同様のブラシ保持部１０４ａによって保持されてもよい。この場合、ブラシ保持部１０４ａにおいて、貫通穴３０１ａ６の開口と隣接する部位に、貫通穴に連通する開口部を形成してもよい。
【００７４】
また、実施の形態１〜３のブラシ１００〜３００におけるブラシ本体部１０１ａ〜１０１ｃ，１０２ａ〜１０２ｃ，１０３ａ〜１０３ｃ，２０１ａ〜２０１ｃ，３０１ａ〜３０１ｃでは、対向する２つの側面にのみ、溝、貫通溝又は貫通穴が形成されていたが、３つ以上の側面に形成してもよい。さらに、溝、貫通溝及び貫通穴を組み合わせて、ブラシ本体部に形成してもよい。
また、実施の形態１〜３のブラシ１００〜３００におけるブラシ本体部１０１ａ〜１０１ｃ，１０２ａ〜１０２ｃ，１０３ａ〜１０３ｃ，２０１ａ〜２０１ｃ，３０１ａ〜３０１ｃは、矩形断面を有する角柱状の形状を有していたが、これに限定されるものでなく、多角形断面、円形断面、楕円形断面等の断面を有する柱状体であってもよい。
【００７５】
また、実施の形態１〜３では、スリップリング３０において３つのスリップリング板３２ａ、３２ｂ及び３２ｃが設けられていたが、これに限定されるものでなく、スリップリング板は、２つ以下であっても、４つ以上であってもよい。さらに、各スリップリング板に接触するブラシ本体部も３つに限定されるものでなく、２つ以下であっても、４つ以上であってもよい。
また、実施の形態１〜３では、回転電機１はダブルロータ型の回転電機であったが、これに限定されるものでなく、少なくとも１つのロータがあればよい。
【符号の説明】
【００７６】
１  回転電機、１１  第一ロータ（回転子）、３０  スリップリング（電気接続部）、１００，２００，３００  ブラシ、１０１  第一ブラシ本体、１０２  第二ブラシ本体、１０３  第三ブラシ本体、１０１ａ〜１０１ｃ，１０２ａ〜１０２ｃ，１０３ａ〜１０３ｃ，２０１ａ〜２０１ｃ，３０１ａ〜３０１ｃ  ブラシ本体部、１０１ａ１〜１０１ｃ１，１０２ａ１〜１０２ｃ１，１０３ａ１〜１０３ｃ１，２０１ａ１〜２０１ｃ１，３０１ａ１〜３０１ｃ１  接触面、１０１ａ６〜１０１ｃ６，１０２ａ６〜１０２ｃ６，１０３ａ６〜１０３ｃ６  溝（窪み）、１０４〜１０６  ブラシ保持部、１０４ａ〜１０４ｃ，１０５ａ〜１０５ｃ，１０６ａ〜１０６ｃ，２０４ａ〜２０４ｃ  ブラシ保持部、１０７〜１０９  ベースプレート、１０７ａ〜１０７ｃ，１０８ａ〜１０８ｃ，１０９ａ〜１０９ｃ  ベースプレート部、１０７ａ２〜１０７ｃ２  空気排出穴（開口部）、１１０，１２０，１３０  ブラシホルダ、１１０ａ，１１０ｂ，１１０ｃ  ブラシホルダ部、２０１ａ６〜２０１ｃ６  貫通溝（窪み）、２０４ａ４〜２０４ｃ４  隙間（開口部）、３０１ａ６〜３０１ｃ６  貫通穴（窪み）。
【図１】
2014045624.tif 000003
【図２】
2014045624.tif 000004
【図３】
2014045624.tif 000005
【図４】
2014045624.tif 000006
【図５】
2014045624.tif 000007
【図６】
2014045624.tif 000008
【図７】
2014045624.tif 000009
【図８】
2014045624.tif 000010
【図９】
2014045624.tif 000011
【図１０】
2014045624.tif 000012